(57)【特許請求の範囲】
【請求項１】
様々な無線アクセス技術が用いられた近傍の無線システムに関係する情報を収容している、少なくとも１つの端末のハンドオーバー中に使用される基地局に格納されたデータベースを更新する方法であって、
前記基地局が、前記データベースとは異なる無線アクセス技術が用いられた少なくとも１つの近傍の無線システムに関係する少なくとも１つの前記端末によって検出された情報を受信するステップと、
前記基地局が、少なくとも１つの端末のハンドオーバー中に用いられる前記情報に基づいて前記データベースを更新するステップと、
前記基地局が隣接する無線システムの基地局と所定の間隔で通信して、前記端末から提供されたデータベース情報更新の妥当性を検査するステップと
を有することを特徴とする方法。
【請求項２】
様々な無線アクセス技術が用いられた近傍の無線システムに関係する情報を収容している、少なくとも１つの端末のハンドオーバー中に使用される基地局に格納されたデータベースを更新する方法であって、
前記基地局が、前記データベースとは異なる無線アクセス技術が用いられた少なくとも１つの近傍の無線システムに関係する少なくとも１つの前記端末によって検出された情報を受信するステップと、
前記基地局が、少なくとも１つの端末のハンドオーバー中に用いられる前記情報に基づいて前記データベースを更新するステップと、
前記基地局が、前記基地局が認識している周辺の無線システムに関して前記端末に警告し、複数の端末が同様の情報を送信することによるトラフィックを減らすステップ
を有することを特徴とする方法。
【発明の詳細な説明】
【技術分野】
【０００１】
本発明は、無線通信システムに関する。詳細には、本発明は、端末（ｕｓｅｒ  ｅｑｕｉｐｍｅｎｔ）（ＵＥ）のハンドオーバーのための情報のデータベース処理に関する。
【背景技術】
【０００２】
無線通信システムの端末（ＵＥ）が、複数の無線システム（（ＷＬＡＮ、）Ｂｌｕｅｔｏｏｔｈ（登録商標）（無線ネットワークの登録商標）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｇｅｎｅｒａｌ  Ｐａｃｋｅｔ  Ｒａｄｉｏ  Ｓｅｒｖｉｃｅ（ＧＰＲＳ）など）を介してインターネット／公衆サービス電話網（ＰＳＴＮ）にアクセスする機能を提供し始めている。そこで、ＵＥを１つのテクノロジから別のテクノロジにハンドオーバーさせるために、これらのシステムを相互に連係させる必要性が高まりつつある。
【０００３】
無線通信システムの基地局は、ハンドオーバーを支援するために、外部システムに関係する情報をＵＥへ中継することができる。したがって、基地局は、他のシステムに関する情報を保持し、常に最新にしておく必要がある。別のシステムに関する情報の取得は、ローミング協定の下、セキュリティ保護されたシステム間接続を通じて（たとえば、ＩＰクラウドを介して）可能である。ただし、他のシステムに関するそのような情報を維持し、最新に保つことは、配備上、困難である。
【発明の開示】
【発明が解決しようとする課題】
【０００４】
そこで、この目的のために基地局が、明示的なシステム間接続および通信を必要とせずに、外部システム情報を供給するのを支援する代替ソースが必要である。
【課題を解決するための手段】
【０００５】
本発明は、近傍の無線システムに関連するデータを取得および更新する手法を用いる。
【発明を実施するための最良の形態】
【０００６】
図１は、関連付けられた基地局（ＢＳ）１０２ｂを有する無線システム１０２において動作し、さらに周辺の複数の無線システム１０３〜１０５を検知することも可能なマルチモードＵＥ  １０１を示す。ＵＥ  １０１は、無線システム１０３〜１０５からの情報を検知すると、ただちに、システム１０３〜１０５の現在の情報をＢＳ  １０２ｂに送信する。ＢＳ  １０２ｂは、その、ＵＥ  １０１からの新しい情報に基づいて、自身のデータベースを更新できる。同様に、その後のＵＥ  １０１の他の基地局へのハンドオーバーによって、基地局データベースを更新することができる。たとえば、無線システム１０３へのハンドオーバーの後、ＵＥ  １０１は、最後に存在していたシステム（すなわち、システム１０２）に関係する情報を基地局（ＢＳ）１０３ｂに送信する。これにより、ＢＳ  １０３ｂは自身のデータベースを更新する。
【０００７】
図２は、ＢＳ  １０２ｂとＵＥ  １０１の間の情報交換の処理フロー図である。説明を簡潔にするために単一ＵＥに関する処理を示したが、複数のＵＥが同時にＢＳ  １０２ｂと相互作用することも可能である。ＵＥからＢＳ、およびＢＳからＵＥに送られるシステム情報には、ＵＥの地理的位置、新しいシステム、ネットワークの輻輳、ネットワーク検知障害などの情報が含まれ、これらに限定されない。
【０００８】
ＵＥ−Ｓ１では、ＵＥ  １０１が、たとえば、ネットワーク１０４に関連する情報を取得する。ステップＵＥ−Ｓ２では、ＵＥ  １０１が自身のＩＤをＢＳ  １０２ｂに送信する。ステップＢＳ−Ｓ１では、ＢＳ  １０２ｂがＵＥ  １０１のＩＤを受信する。ＢＳ−Ｓ２では、ＢＳ  １０２がまず、ＵＥ  １０１のＩＤを認証する。これにより、ＢＳ  １０２ｂは、悪意のあるＵＥからは他のシステムの情報を受け付けない。次に、ステップＵＥ−Ｓ２では、ＵＥ  １０１が、その認証に応答して、保全性のための保護エンコードを情報に施し、ステップＵＥ−Ｓ３では、ＵＥ  １０１が、保護した情報をＢＳ  １０２ｂに送信する。保護エンコードの好ましい一方法は、メッセージ認証コードを介する方法である。情報を盗聴から保護するために、暗号化を用いることもできる。ステップＢＳ−Ｓ３では、ＢＳ  １０２ｂが情報の保全性を検査する。ステップＢＳ−Ｓ４では、ＢＳ  １０２ｂが情報を受け入れ、自身のデータベースを更新する。この時点でＢＳ  １０２ｂは自身のデータベースの更新を完了し、ステップＢＳ−Ｓ５では、ＢＳ  １０２ｂが隣接システム１０３〜１０５と一定間隔またはトリガされた時点で通信して、ＵＥ  １０１から受信した情報更新の妥当性を検査することができる。必要に応じて、ステップＢＳ−Ｓ６でデータベースを訂正する。
【０００９】
ステップＢＳ−Ｓ７で、ＢＳ  １０２ｂが事前対応の役割を担い、ＵＥ  １０１にその周辺のシステムについて知らせることによって、システムの効率を向上させることができる。したがって、ＵＥ  １０１は、自身が存在するシステムがＢＳ  １０２ｂから提供されているリストにあれば、何も情報を送信する必要がない。これにより、複数のＵＥが同様の情報を送信することによる無線トラフィックが減る。
【００１０】
各ＢＳに記憶されているこのデータベースは、追加ネットワークの配備時に、セルの再計画およびシステムの中断のために使用される。たとえば、解体されたＷＬＡＮに重なっているＵＭＴＳシステムを考える。ＵＭＴＳ基地局に集まっている情報は、そのエリアのＷＬＡＮネットワークの計画に使用される。システム１０２は、様々なＵＥが他のシステム（たとえば、システム１０３）に関して通信するときに、それらのＵＥの地理的位置を取得する。オペレータは、システム１０３について報告してきた各ＵＥの地理的位置から、システム１０３のカバレージを見積もることができる。この概略カバレージエリアを用いて、システム１０３のカバレージホールをふさいだり、システム１０３の将来の配備を計画したりできる。
【図面の簡単な説明】
【００１１】
【図１】本発明の技法と原理を大いに効果的に用いることが可能な、複数の無線システムとその無線システムにおける端末を簡略化して示した図である。
【図２】本発明の原理とそのようなシステムを実装する方法を説明するのに便利なフロー図である。
【図１】
0004213665.tif 000002
【図２】
0004213665.tif 000003